(57)【要約】【課題】待機姿勢から引込姿勢に切り換えるときに必要となる突当応力ないしは切換荷重を低くできるようにする。【解決手段】本体７又は移動体の一方に取り付けられるケース１、ケースに摺動自在に配されたスライダー２Ａ、スライダーに支持されてケース対応部に係止する待機姿勢と係止解除する引込姿勢とに切り換えられるラッチ４、付勢手段３からなる引込ユニット６と、本体又は移動体の他方に取り付けられてラッチ４を待機姿勢から引込姿勢に切り換えたり引込姿勢から待機姿勢に切り換える作動部材８とを備え、ラッチが待機姿勢から引込姿勢に切り換えられると、付勢手段に蓄積されていた付勢力により移動体を作動部材を介して本体側第１位置から第２位置へ移動可能にする摺動補助装置において、ラッチ４は、待機姿勢で作動部材５に突当可能となる当接部４１ｂと、引込姿勢で作動部材５と係合可能となる係合部４１ａとを間隔を保って形成している。【選択図】図８
2012127139.tif 000002
【特許請求の範囲】
【請求項１】
本体もしくは移動体の一方に取り付けられるケース、及び前記ケースに摺動自在に配されたスライダー、及び前記スイラダーに枢支部を支点として揺動可能に支持されてケース対応部に係止した待機姿勢と前記係止を解除した引込姿勢に切り換えられるラッチ、並びに付勢手段からなる引込ユニットと、前記本体もしくは移動体の他方に取り付けられて前記ラッチを待機姿勢から引込姿勢に切り換えたり引込姿勢から待機姿勢に切り換える作動部材とを備え、
前記ラッチが待機姿勢から引込姿勢に切り換えられると、前記付勢手段に蓄積されていた付勢力により前記移動体を前記作動部材を介して本体側第１位置から第２位置へ移動可能にする摺動補助装置において、
前記ラッチは、前記待機姿勢で前記作動部材に突当可能となる当接面と、前記引込姿勢で前記作動部材と係合可能となる係合部とを、前記枢支部を挟んだ左右に配置されるよう形成していることを特徴とする摺動補助装置。
【請求項２】
本体もしくは移動体の一方に取り付けられるケース、及び前記ケースに摺動自在に配された左右のスライダー、及び前記スイラダーに枢支部を支点として揺動可能に支持されてケース対応部に係止した待機姿勢と前記係止を解除した引込姿勢に切り換えられる一対のラッチ、並びに前記スライダー同士ないしは前記ラッチ同士を接近する方向へ付勢している付勢手段からなる引込ユニットと、前記本体もしくは移動体の他方に取り付けられて前記ラッチを待機姿勢から引込姿勢に切り換えたり引込姿勢から待機姿勢に切り換える作動部材とを備え、
前記ラッチが待機姿勢から引込姿勢に切り換えられると、前記付勢手段に蓄積されていた付勢力により前記移動体を前記作動部材を介して本体側第１位置から第２位置へ移動可能にする摺動補助装置において、
前記ラッチは、前記待機姿勢で前記作動部材に突当可能となる当接面と、前記引込姿勢で前記作動部材と係合可能となる係合部とを、前記枢支部を挟んだ左右に配置されるよう形成していることを特徴とする摺動補助装置。
【請求項３】
請求項１又は２において、前記枢支部から前記当接面先端までの距離が前記枢支部から前記係合部までの距離よりも長くなっていることを特徴とする摺動補助装置。
【請求項４】
前記当接面は、前記待機姿勢で前記作動部材の移動ラインに斜めから突出し、かつ前記作動部材が進行してくる側に向かって前記移動ラインへの突出量を減少する傾斜面となっていることを特徴とする請求項３に記載の摺動補助装置。
【請求項５】
前記当接面は凸状の湾曲面を有していることを特徴とする請求項４に記載の摺動補助装置。
【請求項６】
前記当接面は凹状の湾曲面を有していることを特徴とする請求項４に記載の摺動補助装置。
【請求項７】
前記ラッチは、前記ケースに設けられた直線溝及び該直線溝の端部に屈曲された係止溝からなるガイド部に嵌合する突起及び前記枢支部を形成している支持部と、前記支持部に一端側を重合し他端側を延長した状態に一体化されて前記当接面及び係合部を形成している当接部とからなることを特徴とする請求項１から６の何れかに記載の摺動補助装置。
【発明の詳細な説明】
【技術分野】
【０００１】
本発明は、引戸や扉などの移動体を本体側の第１位置から第２位置に切り換えたり、第２位置から第１位置に切り換える操作を付勢力を利用して助ける摺動補助装置に関する。
【背景技術】
【０００２】
図１２は特許文献１の摺動補助装置を示している。この装置は、本体枠が引戸や扉を摺動自在に配置しており、作動部材である突起体９を引戸や扉に設け、本体枠に設けられた摺動補助装置の引込ユニットにより引戸や扉を突起体９を介して引き込む。この引込ユニットは、本体枠に取り付けられるケース１、ケース１に摺動自在に配されたスライダー２Ａ，２Ｂ、各スライダーに対し軸部（シャフト）８を介して回転可能に支持されたラッチ５，５、付勢手段３からなる。突起体９は引戸や扉の上端面に突設される。
【０００３】
このうち、ケース１は、本体枠のガイド用溝に沿って配置される関係で細長くかつ薄く形成される。各スライダー２Ａ，２Ｂは、上下面に設けられた凸部２２を有し、各凸部２２がケース１の上下面に設けられたガイド溝１２ｂ，１６ｂに嵌合し、それら上下のガイド手段により案内されながら摺動される。また、各ラッチ５は、上下面に設けられた突起５２を有し、各突起５２がケース１の上下面に設けられたガイド溝１４，１９に嵌合し、それら上下のガイド手段により案内されながら摺動される。各ガイド溝１４，１９は、ガイド溝１２ｂ，１６ｂと平行な直線溝１４ａ，１９ａと、直線溝１４ａ，１９ａの両側に設けられた略Ｌ形の係止溝１４ｂ，１９ｂとからなる。
【０００４】
以上の摺動補助装置において、図１２（ａ）の両側のラッチ５及び（ｂ）の右側ラッチ５は待機姿勢である。この待機姿勢では、上下の突起５２が対応する係止溝１４ｂ，１９ｂに係止されて、ラッチ５がスライダー２Ａと共に付勢手段３に蓄積された付勢力に抗し位置規制されている。そして、同（ａ）の状態から、不図示の左側の開位置にある引戸や扉を開から閉方向へ摺動操作すると、突起体９が対応する引込ユニットのラッチ５のフック部５０内面に当たり、ラッチ５がその応力で回転されて待機姿勢から（ｂ）の左側のごとく引込姿勢に切り換えられる。この引込姿勢では、ラッチ５が突起体９をフック部内に拘束し、上下の突起５２が係止溝１４ｂ，１９ｂから直線溝１４ａ，１９ａに入って係止解除される。このため、ラッチ５及びスライダー２Ａは、付勢手段３に蓄積された付勢力により摺動され、引戸や扉を突起体９を介して閉位置に自動で切り換える。また、閉位置から、該引戸や扉の開操作によって、突起体９がラッチ５と共に図面の左側へ摺動されると、それに伴って付勢手段３に付勢力を蓄積する。更に引戸や扉が開方向へ動かされると、再び待機姿勢に切り換えられる。
【先行技術文献】
【特許文献】
【０００５】
【特許文献１】特開２００８−１４４５６７号公報
【発明の概要】
【発明が解決しようとする課題】
【０００６】
上記した摺動補助装置は、例えば引戸や扉が閉操作されるとき、途中から付勢力により閉位置まで切り換えられるため引戸や扉の使い勝手を向上し、引戸や扉の不完全な閉状態の発生を解消できる。なお、上記引込ユニットは、左右の引戸や扉に適用される形態に代え、本発明を適用した図１のごとく一対のラッチ及びスライダー並びに付勢手段で構成したり、単一のラッチ及びスライダー並びに付勢手段にて構成可能である。
【０００７】
ところで、以上のラッチ５は、図１２（ｂ）の右側に示される待機姿勢から、作動部材である突起体９がフック部５０の内側、つまり係合部を区画している当接面に当たったときの突当応力により軸部８を支点として回転され、この回転によってラッチ側突起５２が同図の左側のごとく係止溝１９ｂ（１４ｂ）から係止解除されて直線溝１９ａ（１４ａ）に入って引込姿勢に切り換えられる。ところが、この切換構造では、ラッチ５の回転中心である軸部８と、突起体９が当たるラッチの当接面とが接近しているため、待機姿勢から引込姿勢に切り換えるときに必要となる突当応力ないしは切換荷重が高くなる。また、それに起因して、ラッチの切換速度が早くなって衝突音を生じたり、作動部材である突起体９が摩耗し易くなったり、小型化を図る上での阻害要因となっている。
【０００８】
本発明の目的は、以上のような課題を解消して、待機姿勢から引込姿勢に切り換えるときに必要となる突当応力ないしは切換荷重を低くできるようにし、それに伴って良好な切換作動とともに、例えばラッチ切換時の衝突音を低減したり、作動部材の摩耗進行を抑えることができるようにする。
【課題を解決するための手段】
【０００９】
請求項１の本発明は、図１１の例つまり装置構造が単一のスライダー及びラッチで構成される形態を特定したものであり、本体もしくは移動体の一方に取り付けられるケース１、及び前記ケースに摺動自在に配されたスライダー２Ａ、及び前記スイラダーに枢支部を支点として揺動可能に支持されてケース対応部１６ｂに係止した待機姿勢と前記係止を解除した引込姿勢に切り換えられるラッチ４、並びに付勢手段３からなる引込ユニット６Ａと、前記本体もしくは移動体の他方に取り付けられて前記ラッチ４を待機姿勢から引込姿勢に切り換えたり引込姿勢から待機姿勢に切り換える作動部材５とを備え、前記ラッチ４が待機姿勢から引込姿勢に切り換えられると、前記付勢手段３に蓄積されていた付勢力により前記移動体を前記作動部材を介して本体側第１位置から第２位置へ移動可能にする摺動補助装置において、前記ラッチ４は、前記待機姿勢で前記作動部材５に突当可能となる当接面４１ｂと、前記引込姿勢で前記作動部材５と係合可能となる係合部４１ａとを、前記枢支部を挟んだ左右に配置されるよう形成していることを特徴としている。
【００１０】
請求項２の本発明は、図１〜図９の例つまり装置構造が複数のスライダー及びラッチで構成される形態を特定したものであり、本体もしくは移動体の一方に取り付けられるケース１、及び前記ケースに摺動自在に配された左右のスライダー２Ａ，２Ｂ、及び前記スイラダーに支持されてケース対応部１６ｂに係止した待機姿勢と前記係止を解除した引込姿勢に切り換えられる一対のラッチ４、並びに前記スライダー同士ないしは前記ラッチ同士を接近する方向へ付勢している付勢手段３からなる引込ユニット６と、前記本体もしくは移動体の他方に取り付けられて前記ラッチ４を待機姿勢から引込姿勢に切り換えたり引込姿勢から待機姿勢に切り換える作動部材５とを備え、前記ラッチ４が待機姿勢から引込姿勢に切り換えられると、前記付勢手段３に蓄積されていた付勢力により前記移動体を前記作動部材５を介して本体側第１位置から第２位置へ移動可能にする摺動補助装置において、前記ラッチ４は、前記待機姿勢で前記作動部材５に突当可能となる当接面４１ｂと、前記引込姿勢で前記作動部材５と係合可能となる係合部４１ａとを、前記枢支部を挟んだ左右に配置されるよう形成していることを特徴としている。
【００１１】
以上の各発明は次の請求項３〜７のごとく具体化されることがより好ましい。
（ア）請求項１又は２において、前記枢支部から前記当接面先端までの距離が前記枢支部から前記係合部までの距離よりも長くなっている構成である（請求項３）。
（イ）請求項３において、前記当接面は、前記待機姿勢で前記作動部材の移動ラインに斜めから突出し、かつ前記作動部材が進行してくる側に向かって前記移動ラインへの突出量を減少する傾斜面となっている構成である（請求項４）。
（ウ）請求項４において、前記当接面４１ｂは図１０（ａ）のごとく凸状の湾曲面４１ｃを有している構成である（請求項５）、又は、前記当接４１ｂは図１０（ｂ）のごとく凹状の湾曲面４１ｄを有している構成である（請求項６）。
（エ）前記ラッチ４は、前記ケース１に設けられた直線溝１６ａ及び該直線溝の端部に屈曲された係止溝１６ｂからなるガイド部１６に嵌合する突起４６及び前記枢支部を形成している軸孔又は軸部を有した支持部４０と、前記支持部に一端側を重合し他端側を延長した状態に一体化されて前記係合部４１ａ及び当接面４１ｂを有した当接部４１とからなる構成である（請求項７）。
【００１２】
以上の移動体としては引戸や扉以外に引出なども含まれる。本体としては引戸や扉用の枠や引出用の収納部なども含まれる。第１位置は移動体の完全な閉位置又は開位置を示し、これには移動体を収納部に完全に押し入れた閉位置又は引き出した開位置も含まれる。第２位置は移動体の完全な開位置又は閉位置を示し、これには移動体を収納部から完全に引き出した開位置又は押し入れた閉位置も含まれる。
【発明の効果】
【００１３】
請求項１と２の各発明では、図８に例示されるごとくラッチが同（ａ）や（ｂ）の待機姿勢で作動部材に突当可能となる当接面と、同（ｃ）や（ｄ）の引込姿勢で作動部材と係合可能となる係合部とをラッチの回転中心である枢支部を挟んだ左右に形成しているため、当接面を枢支部から遠ざけることができ、それにより待機姿勢から引込姿勢に切り換えるときに必要となる作動部材側の突当応力ないしは切換荷重をテコの作用によって低減できる。この結果、各発明では、ラッチの切換速度を遅くして衝突音を生じないようにしたり、作動部材の摩耗進行を遅らせることが可能となり、引いては小型化を図る上での阻害要因を解消できる。
【００１４】
請求項３の発明では、枢支部から当接面先端までの距離が枢支部から係合部までの距離よりも長くなっているため、前記した突当応力ないしは切換荷重をより確実に低減可能となり、簡明性も具備できる。
【００１５】
請求項４の発明では、当接面が待機姿勢で作動部材の移動ラインに斜めから突出し、かつ作動部材が進行してくる側に向かって移動ラインへの突出量を減少する傾斜面となっていると、図８の例から推察されるごとく前記した突当応力ないしは切換荷重を分散して、切換速度を遅延したり緩やかに回転されるようにし易くなる。
【００１６】
請求項５と６の各発明では、図１０から推察されるこどく作動部材が当接面の凸状湾曲面や凹状湾曲面に当たるようにすると、前記した突当応力ないしは切換荷重を制動ないしは緩和したり逆に加速されるようにし、それにより最適な状態が得られるよう選択できる。
【００１７】
請求項７の発明では、ラッチが従来品に比べ支持部に一端側を重合し他端側を延長した状態に設けられた当接部の存在により長くなっており、それによって当接面の形状を例えば引込ユニットの大きさ等に応じて変更し易く設計自由度を拡大できる。
【図面の簡単な説明】
【００１８】
【図１】形態の摺動補助装置の引込ユニットを示し、（ａ）はケースからカバーを外した状態を示す平面図、（ｂ）はその右端面図、（ｃ）はカバーの内面を示す図である。
【図２】図１の概略的な断面を示し、（ａ）はＡ−Ａ線断面図、（ｂ）はＢ−Ｂ線断面図、（ｃ）はＣ−Ｃ線断面図である。
【図３】上記ケースをカバーを外して付勢手段及び制動手段と共に示す平面図である。
【図４】図１の左側のスライダーを示し、（ａ）は上面図、（ｂ）は下面図である。
【図５】図１の右側のスライダーを示し、（ａ）は上面図、（ｂ）は下面図である。
【図６】上記引込ユニットのスライダー（図１の右側のスライダー）単品を示し、（ａ）は上面図、（ｂ）は下面図である。
【図７】上記引込ユニットのラッチ単品を示し、（ａ）は上面図、（ｂ）は下面図、（ｃ）は正面図である。
【図８】上記引込ユニットの作動を、（ａ）と（ｂ）はラッチの待機姿勢で各部材の関係を示す模式図、（ｃ）はラッチが待機姿勢から引込姿勢に切り換えられた状態を示す模式図、（ｄ）は付勢手段に付勢力を蓄積している過程を示す模式図である。
【図９】上記摺動補助装置の適用例として、（ａ）と（ｂ）は本体及び移動体の具体例を示し、（ｃ）は作動部材の構成例を示す斜視図である。
【図１０】（ａ）及び（ｂ）は上記ラッチを変更した２例を待機姿勢で示す図である。
【図１１】上記引込ユニットの変形例を図１（ａ）に対応して示す構成図である。
【図１２】特許文献１の摺動補助装置を示し、（ａ）は引込ユニットの構成図、（ｂ）はその要部作動図である。
【発明を実施するための形態】
【００１９】
本発明形態を図面を参照しながら説明する。図１は摺動補助装置のメイン部となる引込ユニットの全体構成を示し、図２と図３は引込ユニットの詳細を示し、図４〜図７は構成部材の細部を示し、図８は要部作動を示し、図９は使用例と作動部材の構成例を示している。図１０はラッチの変形例を示し、図１１は摺動補助装置の簡略化した変形例を示している。以下、装置特徴、引込ユニット、作動部材、組立、作動、変形例の順に詳述する。
【００２０】
（装置特徴）形態の摺動補助装置は、本体７もしくは移動体として引戸や扉（以下、扉の例で説明する）の一方に取り付けられる引込ユニット６（６Ａ）と、本体７もしくは扉の他方に取り付けられる作動部材である突起体８とからなる。以下の形態では、引込ユニット６（６Ａ）を本体７に取り付け、突起体８を扉Ａに取り付けた場合を示したが、引込ユニット６（６Ａ）を扉Ａに取り付け、突起体８を本体７に取り付けることも可能である。また、前記引込ユニット及び突起体は、対象の移動体や引き込み作動設定により次の３種類の構成に大別される。
【００２１】
第１の構成は、図１に示した引込ユニット６及び２つの突起体８を組として使用する場合である。引込ユニット６は、ケース１に対し、互いに接離する方向へ摺動される対のスライダー２Ａ，２Ｂと、スライダー２Ａ，２Ｂ同士を接近する方向へ付勢している付勢手段３と、スライダー２Ａ，２Ｂの摺動速度を制動する制動手段５と、各スライダー２Ａ，２Ｂにそれぞれ回転可能に支持されて、ケース１内の対応部に解除可能に係止されることによりスライダー２Ａ，２Ｂ同士を離間した状態に保持可能な一対のラッチ４，４とを配置している。
【００２２】
第２の構成は、移動体として例えば両開き式の扉（引戸）ＡとＢを本体の対応する開口部に対しそれぞれ摺動するような場合であり、一方の扉Ａに対応した引込ユニット６及び他方の扉Ｂに対応した引込ユニット６の構成部材を図１２のごとく共通のケースに組み込む。すなわち、この引込ユニットでは、互いに接離する方向へ摺動される左右のスライダー２Ａ，２Ｂと、スライダー２Ａ，２Ｂ同士を接近する方向へ付勢している付勢手段３と、各スライダー２Ａ，２Ｂにそれぞれ枢支されていると共に、ケース１側に解除可能に係止されることによりスライダー２Ａ，２Ｂ同士を離間した状態に保持可能な一対のラッチ４，４とを単位とし、この２組を同じケースに対し配置している構成である。この説明は形態から容易に推察されるため省略する。
【００２３】
第３の構成は、移動体を一方向へだけ引き込む場合である。この引込ユニットは、図１１に例示されるごとく、図１のスライダー２Ａ，２Ｂの一方を省略し、付勢手段３であるコイルスプリングの一端をスライダーに係止すると共に他端をケース側に係止し、また必要に応じて制動手段５の一端をスライダー２Ａに係止すると共に他端をケース側に係止する最も簡易な構成となる。そして、第１〜第３の構成では共通の要部としてラッチ４が最も工夫されている。
【００２４】
（引込ユニット）引込ユニット６の細部を明らかにする。ケース１は、図１及び図３に示されるごとく上側を開口した空間部１０と、空間部１０の左右に張り出している本体側への取付部１０ａとを一体に形成しており、空間部１０を閉じるカバー１５を有している。空間部１０は、細長い矩形の容器状をなし、下面１１と両側面１２と左右の端部１３，１３ａで区画されている。端部１３ａは、端部１３よりも外側へ変位している。下面１１には、幅中間に位置して左右に延びているガイド孔１１ａと、ガイド孔１１ａの両縁部を一段低く形成しているスライダー用ガイド部１１ｂとが設けられている。符号１１ｃは、一方側面１２の内側に沿って左右に延びているスライダー及び付勢手段３であるコイルスプリング用の浅い凹状のガイド溝である。符号１１ｄは、制動手段５としてピストンダンパを構成しているシリンダー５０をケース内で摺動し易くする凹部である。符号１１ｅは、ラッチ４の下面に設けられた凸部４８と嵌合するガイド溝である。
【００２５】
カバー１５は、幅中間に位置して左右に延びているリブ１９ａとリブ１９ａとの間に設けられているスライダー用ガイド溝１９ｂと、左右中間に設けられている略凹状のラッチ用ガイド部１６とを有している。カイド部１６は、左右に延びる直線溝１６ａと、直線溝１６ａの両側に設けられた略Ｌ形の係止溝１６ｂとからなる。
【００２６】
ケースの両側面１２及びカバーの両側１７には、カバー１５を空間部１０に配置したときに互いに係合する鉤状係止部１２ａと凹状係合部１７ａとが複数対に設けられている。ケースの取付部１０ａ及びカバーの左右端面１８には、カバー１５を空間部１０に配置したときに互いに係合する凹状係止部１０ｃ及び凸状係合部１８ａ、凸状係止部１０ｄ及び凹状係合部１８ｂが設けられている。そして、この例では、カバー１５がそれらの係合を介してケース１に装着される。左右の取付部１０ａは幅方向の断面が逆凹状であり、突起体８はその逆凹状部からガイド孔１１ａに沿って摺動可能となっている。
【００２７】
スライダー２Ａと２Ｂは、樹脂製のブロック状をなし、ケース側下面１１とカバー１５との間の空間に配置される。この例では、制動手段５としてピストン式ダンパーを使用した関係で、スライダー２Ａ，２Ｂが異形状になっているが、制動手段としてロータリー式ダンパーを使用するような場合は同形状にすることも可能である。
【００２８】
スライダー２Ａと２Ｂとは、制動手段用連結部２１，３１が上下面２ａ，２ｂの一部を形成しているとともに、上面２ａに設けられて左右に延びたリブ２２，３２を有している点、下面２ｂの略中間部の四隅に設けられた凸部２３，３３を有している点、一側つまり連結部側と平行に設けられて制動手段５をガイドする断面円弧状のガイド部２４，３４、及び他側の下面側長手方向に沿って設けられているばね配置部２５，３５を有している点、各ばね配置部２５，３５の一端側に設けられて付勢手段３であるコイルスプリングの対応する端部３ａを係止する断面コ形状の係合部２６,３６を有している点、ばね配置部２５，３５側にあって下側の一部を逆凹状に形成しているラッチ配置部２０，３０を有している点、各ラッチ配置部２０，３０を区画している上壁部に設けられている逃げ溝２８，３８、及び支持溝２７，３７、並びに枢支用軸孔２０ａ，３０ａを有している点で共通している。各係合部２６,３６は、上下片部同士の間を取付用挟持部とし、コイルスプリングの径小端部３ａを挟み込んで固定可能となっている。
【００２９】
ここで、連結部２１は、図４（ａ）,（ｂ）に示されるごとく上下部に設けられた爪２１ａ及び位置決め用突起２１ｂと、取付部材２９で覆われた不図示の収容部とを備えている。すなわち、取付部材２９は、概略コ形のカバーであり、上下の爪２１ａに係合される係合穴及び突起２１ｂに係合される凹部などを有している。これに対し、連結部３１は、図５及び図６に示されるごとく内端面との間に隙間３４ｂを保って設けられた略Ｕ形のクランプ部３４ａを有している。また、ラッチ配置部において、軸孔２０ａ，３０ａは、図４〜図６にごとく中央から外れた端側に設けられて上下貫通されている。支持溝２７，３７は、軸孔２０ａ，３０ａと同心円上にあって円弧状に切り欠かれているとともに、上縁に沿って設けられた受け面となる段差２７ａ，３７ａを有している。逃げ溝２８，３８は前記支持溝より大きな開口であり、内側縁に沿って突出した鍔状受け部２８ａ，３８ａを有している。
【００３０】
ラッチ４は、図１のごとくスライダー２Ａに用いるラッチと、スライダー２Ｂに用いるラッチが左右対称形となる。図７はスライダー２Ａ側のラッチを示している。同図を参考にして説明すると、ラッチ４は、ラッチ配置部２０，３０に余裕を持って収まる厚さ寸法からなる樹脂成形体であり、スライダー側に枢支する支持部４０と、支持部４０の一端側（後端側）に延設されたアーム状の当接部４１と、ラッチ下面側にあって先端４５側に設けられている補助係合手段４７とを一体に形成している。
【００３１】
支持部４０の上面には、先端４５と反対側となる後端側に立設された枢支用軸部４３、中央付近に突設された吊り下げ用支軸４２、先端４５側に突設された突起４６を有している。このうち、軸部４３は、スライダー側軸孔２０ａ又は３０ａに嵌合されることにより、スライダー２Ａや２Ｂに対しラッチ４を回転可能に枢支可能にする。支軸４２は、支持溝２７又は３７と共に規制手段９を構成しており、支持溝２７又は３７に摺動自在に挿通される首部４２ａ、及びその首部４２ａを支持溝２７又は３７に挿通した状態で抜け止めする頭部４２ｂを有している。突起４６は、軸部４３及び支軸４２より高く形成されており、ラッチ４が各スライダーに回転可能に枢支された状態でカバー側のガイド部１６に嵌合して、直線溝１６ａに沿って摺動されるとともに、係止溝１６ｂと係合してラッチ４（及びスライダー）の摺動を係止可能にする。また、支持部４０の下面側には、軸部４３と略同軸線上に突出している凸部４８とを有し、凸部４８がケース側のガイド溝１１ｅに摺動可能に嵌合される。
【００３２】
当接部４１の正面には、作動部材である突起体８と係脱する前側（ラッチの前後方向の略中間に相当）の係合部４１ａと、及びラッチ４の待機姿勢で突起体８に当たる後側（支持部４０の後端より更に突出している部分）の当接面４１ｂとが設けられている。そして、この構造では、当接面４１ｂに加わる突起体８の突当応力ないしは切換荷重により、ラッチ４が待機姿勢から引込姿勢に切り換えられるが、その際にテコの作用によって従来に比べて低減された力で回転されるよう工夫されている。
【００３３】
第１の工夫点は、係合部４１ａと当接面４１ｂとが軸部４３の軸線を挟んだ左右に位置するよう設けられている。これは、図８（ａ），（ｂ)のごとく、ラッチ４の待機姿勢で、ラッチ４が枢支部である軸部４３を支点として逆時計回りに回転される場合だと、軸部４３の軸線を挟んで係合部４１ａと反対側で、同図の右方向である当接面４１ｂの先端側に突起体８を当たるようにすることが好ましいからである。第２の工夫点は、枢支部である軸部４３から当接面４１ｂの先端までの距離が軸部４３から係合部４１ａまでの距離よりも長くなるよう設定されている。これは、前記したテコの作用を得られるようにする上で具体的な目安となる構成である。
【００３４】
第３の工夫点は、当接面４１ｂが図８（ａ），（ｂ）のごとくラッチ４の待機姿勢で作動部材である突起体８の移動ライン（同図のガイド溝１１ａ）に斜めから突出し、かつ突起体８が進行してくる側に向かって前記移動ラインへの突出量を減少する傾斜面となっていることである。これは、図８の例から推察されるごとく当接面４１ｂに加わる突起体８の突当応力ないしは切換荷重を分散されるようにし、これによりラッチ４の切換速度を遅延したり緩やかに回転されるようにする上で好ましいためである。
【００３５】
補助係合手段４７は、ラッチ４が誤作動で引込姿勢になったときに突起体８と係合し、それによりラッチ４を引込姿勢から待機姿勢に切換可能にする。この例では、ラッチ下面側で先端側を大きく落ち込んだ段差状にし、突起体８を導く先端側の斜面案内部４５ａ及び該斜面案内部４５ａに連なって一段深くなった凹部４７ａから構成されている。斜面案内部４５ａは先端に行くほど低くなるテーパーである。使用態様において、突起体８は斜面案内部４５ａに対し上向きに当接すると、突出量を減じながら摺動し、凹部４７ａに入ると再び突出量を増大して該凹部４７との係合を維持する。
【００３６】
付勢手段３は圧縮コイルスプリングが用いられている。このコイルスプリングは、両端の手前が径小に絞られた取付用の径小端部３ａに形成されるとともに、径小端部３ａから再び通常の径寸法に形成された延長部３ｂを有している。この延長部３ｂは、コイル巻が径小端部３ａより粗く形成されている。
【００３７】
制動手段５はピストン式ダンパー式が使用されている。このピストン式ダンパーは公知のもの（例えば、特開２００６−２９５６４号等）であればよく、シリンダー５０及び該シリンダー５０に緩やかに出没されるピストンロッド５１を有し、ピストンロッド５１が固定されているシリンダー５０に対し緩やかに駆動したり、シリンダー５０が固定されているピストンロッド５１に対し緩やかに駆動する構成であればよい。また、シリンダー５０は図４のごとく後端外周に首状係止溝５０ａを有し、ピストンロッド５１は先端外周に首状係止溝５１ａを有している。
【００３８】
（作動部材）図９（ｃ）は作動部材である突起体８の具体例を示している。この突起体８は、移動体である扉Ａに対し付勢力を介して出没自在、つまり負荷を受けると付勢力に抗して突出量を減じる構成である。この例は、本出願人の先願である特願２００９−１４７０１７号に記載されているものであり、移動体の上端部に取り付けられるケース８ａと、ケース８ａ上に突出して移動体を固定側ガイドレールに沿って案内するガイド軸８ｂと、ガイド軸８ｂをケース幅方向に移動調整する調整機構として、ケース１に設けられた横穴８ｃに配置されて外部から回動操作可能な調整用部材８ｄと、調整用部材８ｄの回動によりケース内を進退してガイド軸８ｂを幅方向に移動調整する不図示の調整部材などを有している。勿論、突起体８としては、これに限られず、特開２００７−１０７３０１号に開示されているガイド軸構成又はそれに類似する構成でもよい。
【００３９】
（組立）以上の各部材は、例えば、各ラッチ４をスライダー２Ａ，２Ｂに枢支した後、スライダー２Ａ，２Ｂ同士を制動手段５であるピストン式ダンパー及び付勢手段３であるコイルスプリングを介在して連結する。次に、それらをケース１に組み入れ、かつケース１にカバー１５を取り付けることで引込ユニット６として完成される。
【００４０】
まず、各ラッチ４は、スライダー２Ａ，２Ｂに対し、軸部４３と軸孔２０ａ又は軸部４３と軸孔３０ａの嵌合により回転可能に支持される。この支持状態では、支軸４２が円弧状の支持溝２７の段差２７ａ或いは支持溝３７の段差３７ａに対し吊り下げ状態で支持され、突起４６が逃げ溝２８或いは逃げ溝３８を通ってスライダーの上方へ突出され、先端４５が逃げ溝の内側縁に設けられた鍔状受け部２８ａ或いは受け部３８ａに受け止められるよう支持される。その後、スライダー２Ａ，２Ｂ同士は制動手段５であるピストン式ダンパーを介して連結される。この場合、ピストンロッド５１はスライダー２Ａの連結部２１に対し上記した不図示の窓から収容部に挿入した状態で、取付部材２９を介して固定される。シリンダー５０は、スライダー２Ｂの連結部３１に対し、上記したシリンダー側係止溝５０ａを隙間３４ｂに一致させて押すだけでクランプ部３４ａに係合連結される。また、付勢手段３であるコイルスプリングは、スライダー２Ａと２Ｂに対し、両側の径小端部３ａが対応する係合部２６,３６のコ形状の内側に係止固定される。この状態では、各延長部３ｂがスライダーの対応端より所定寸法だけ突出する。
【００４１】
次に、以上のラッチ４付きのスライダー２Ａと２Ｂは、制動手段５及び付勢手段３と共にケース１に対し配置される。この例では、スライダーとケースとの間のガイド手段として、各スライダー下面の凸部２３又は３３がケース側の対応するガイド溝１１ｂと嵌合し、各スライダーの上面のリブ２２又は３２がカバー側の対応するガイド溝１９ｂと嵌合し、各スライダー下面の突片２６ｂ及び３６ｂがケース下面側ガイド溝１１ｃと摺動自在に嵌合したされる。また、ラッチ４は、突起４６がスライダーの逃げ溝２８又は３８からケース側のガイド部１６に嵌合しており、スライダーの摺動に伴って直線溝１６ａに沿って摺動される引込姿勢と、直線溝１６ａから係止溝１６ｂに入って係止される待機姿勢とに切り換えられる。なお、ラッチ４は、下面の凸部４８がケース下面のガイド溝１１ｅと常に嵌合しており、それによって対応スライダーの急速な摺動にも安定して追随されるようになっている。
【００４２】
（作動）図８は上記した組立状態において摺動補助装置及び引込ユニット６の作動を示している。ここでは、図９（ａ）,（ｂ）の扉Ａに適用した場合を想定し要部作動を明らかにする。
【００４３】
（１）同８（ａ）は図１の引込ユニット６における左側部分、つまりスライダー２Ａ側のラッチ４の待機姿勢（ラッチ側突起４６がカバー側ガイド部１６の係止溝１６ｂに係合されている状態）を作動部材である突起体８と共に示し、（ｂ）は部材関係を分かり易くするため（ａ）と同じ態様をスライダー２Ａだけ想像線で示している。このラッチの待機姿勢において、付勢手段３であるコイルスプリングは、引き延ばされて付勢力を蓄積しているとともに、左側の延長部３ｂがケース側の対応する端部１３ａに当接している。この構造では、ラッチ４の待機姿勢において、そのラッチ４を枢支しているスライダー２Ａがケース空間部１０を区画している内側端部１３ａに対し延長部３ｂを当接しているため、スライダー２Ａが振動や衝撃を受けても延長部３ｂである緩衝部の振動ないしは衝撃吸入作用により、スライダー２Ａに支持されているラッチ４の誤作動（突起４６が係止溝１６ｂから直線溝１６ａに移行する）虞を防いでいる。また、この構造では、上記した規制手段９を有し、ラッチ４がスライダー側支持溝２７又は３７に支軸４２を介して吊り下げ状態に支持して水平状態を保つ。
【００４４】
（２）図８（ｃ）はラッチが引込姿勢に切り換えられた状態を示している。このラッチ４の姿勢切換は、ラッチ４が図８（ｂ）の待機姿勢にあるとき、扉が同図の左から右方向（閉方向）へ移動されてきて、扉の突起体８が斜めに傾斜している当接面４１ｂに当たる。すると、ラッチ４は、その応力により軸部４３を支点として逆時計回りに回転されて突起４６が係止溝１６ｂから係止解除されて直線溝１６ａと嵌合し、突起体８を係合部４１ａの凹部に係合した引込姿勢に切り換えられる。すると、スライダー２Ａは、ラッチ４と共に付勢手段３の付勢力によりスライダー２Ｂ側へ引き込まれて扉を閉位置に切り換える。この場合、この形態では、上記した第１から第２の工夫点により、例えばラッチ４に対する突起体８の突当応力ないしは切換荷重として従来より弱い力で待機姿勢から引込姿勢に切り換えられる。同時に、ラッチ４の切換速度を緩やかに行われるようにする。なお、この構造では、扉が付勢手段３の付勢力により移動されるとき、上記した制動手段５の制動を受けて緩やかに摺動される。また、規制手段９は、ラッチ４が枢支部（軸部４３とスライダー側軸孔２０ａ）を支点として逆時計回りに回転されるとき、支軸４２が支持溝３７（の段差３７ａに受け止められた状態で）に沿って摺動されるため、及び先端４５が逃げ溝側鍔状受け部２８ａ又は３８ａで受けられるためスライダー２Ａに対するラッチ４の傾きを防いで水平な回転運動を確実に保つ。
【００４５】
（３）図８（ｄ）は、扉を閉位置から開方向へ摺動操作している状態を想定している。この過程では、扉が同図の右から左方向へ移動操作されると、スライダー２Ａが引込姿勢になっているラッチ４の係合部４１ａに係合されている突起体８を介して左側へ摺動される。扉が更に左へ移動されて図８（ｂ）のごとく左側の係止溝１６ｂに達すると、ラッチ４は、突起体８が係合部４１ａから抜け出すときの反力により軸部４３を支点として時計回りへ回転しながら、突起４６が直線溝１４ａから係止溝１４ｂに係合して待機姿勢に切り換えられる。なお、この過程では付勢手段３に付勢力が蓄積される。この状態はラッチ４が待機姿勢にある限り保たれる。以上の姿勢切換において、この構造では、扉が急激に摺動操作され、それに伴ってスライダー２Ａも急速に摺動されたような場合、ケース側の対応する端部１３ａに対し延長部３ｂである緩衝部が当接し、その緩衝部の衝撃吸入作用によりスライダー２Ａに加わる衝撃を緩和することによりラッチ４の誤作動（突起４６が係止溝１６ｂから直線溝１６ａに移行する）の虞を防止できる。
【００４６】
（変形例１）図１０（ａ）と（ｂ）は上記ラッチのうち、当接部の当接面形状を変更した２例を示している。この説明では、上記形態と同じ箇所に同一符号を付し変更点だけを明らかにする。同（ａ）のラッチ４では当接面４１ｂが凸状の湾曲面４１ｃを有している。この湾曲面４１ｃは、当接面４１ｂの先端を除いて、当接面を緩やかな凸面状に形成したものである。これに対し、同（ｂ）のラッチ４では当接面４１ｂが凹状の湾曲面４１ｄを有している。この湾曲面４１ｄは、当接面４１ｂの先端を除いて、当接面を緩やかな凹面状に形成したものである。ラッチ４は、当接面４１ｂとして、又は、当接面４１ｂの一部としてこのような湾曲面４１ｃや４１ｄに形成されていると、作動部材である突起体８による突当応力ないしは切換荷重として弱い力で良好に回転されたり、回転速度も遅くしたり緩和でき、それにより課題に記載したような問題を一掃できる。
【００４７】
（変形例２）図１１は上記した第３の構成（請求項１に対応した構成例）を示したものである。この説明でも、上記形態と同じ箇所に同一符号を付し変更点だけを明らかにする。変形例２では、付勢手段３であるコイルスプリングの右端側の形状及びその取付構造と、制動手段５のシリンダー５０の取付箇所及び取付構造とが変更されている。
【００４８】
すなわち、付勢手段３であるコイルスプリングは、一方の径小端部３ａが上記と同じくスライダー２Ａの係合部２６に係止された状態で延長部３ｂを突出しているが、他方の径小端部３ａがケース内に設けられた凹状の係合部１４Ａに係止固定されている。係合部１４Ａは、図１０の拡大図に示されるごとくケース下面１１に立設された一対の突片１１ｅ同士の間を取付用挟時部とし、そこにコイルスプリング３の端部３ａを押圧固定可能となっている。この係合部１４Ａは、ケース１に装着されるカバー１５により突片１１ｅ同士の上開口を閉鎖して端部３ａの抜けを阻止可能となっている。
【００４９】
シリンダー５０は、端側の首状係止溝５０ａ及び頭部５０ｂを有し、ケース下面１１に設けられた連結部１４Ｂに係止固定されている。連結部１４Ｂは、図１０の拡大図に示されるごとくケース下面１１に立設された一対の突片１１ｆ同士の間を取付用挟時部とし、そこに係止溝５０ａ及び頭部５０ｂを押圧固定可能となっている。この連結部１４Ｂは、係合部１４Ａと同様に、ケース１に装着されるカバー１５により突片１１ｆ同士の上開口を閉鎖して係止溝５０ａ及び頭部５０ｂの抜けを阻止可能となっている。
【００５０】
以上のように、本発明は、請求項で特定された要件を除いて、適宜に変更したり更に展開可能なものである。
【符号の説明】
【００５１】
１…ケース（１１は下面、１２は側面、１３，１３ａは端部、１５はカバー、）
２Ａ…スライダー（２０はラッチ配置部、２０ａは軸孔、２６は係合部）
２Ｂ…スライダー（３０はラッチ配置部、３０ａは軸孔、３６は係合部）
３…付勢手段（コイルスプリング、３ａは径小端部、３ｂは緩衝部である延長部）
４…ラッチ（４０は支持部、４２は支軸、４３は軸部、４６は突起、４８は凸部）
５…制動手段（５０はシリンダー、５１はピストンロッド）
６…引込ユニット
７…本体
８…突起体（作動部材）
１６…ガイド部（１６ａは直線溝、１６ｂは係止溝）
４１…当接部（４１ａは係合部、４１ｂは当接面、４１ｃと４１ｄは湾曲面）
Ａ…扉（移動体）
【図１】
2012127139.tif 000003
【図２】
2012127139.tif 000004
【図３】
2012127139.tif 000005
【図４】
2012127139.tif 000006
【図５】
2012127139.tif 000007
【図６】
2012127139.tif 000008
【図７】
2012127139.tif 000009
【図８】
2012127139.tif 000010
【図９】
2012127139.tif 000011
【図１０】
2012127139.tif 000012
【図１１】
2012127139.tif 000013
【図１２】
2012127139.tif 000014